(57)【要約】【課題】インターネットを介することなく、異なる２つのローカルネットワーク間の通信速度を高めることができる照明装置を提供する。【解決手段】第３照明装置３０は、第１ローカルネットワーク１０を構成する１以上の第１照明装置１１と、第１ローカルネットワーク１０と異なる第２ローカルネットワーク２０を構成する１以上の第２照明装置２１とを接続する第３照明装置３０である。また、第３照明装置３０は、第１通信プロトコルで１以上の第１照明装置１１と無線通信する第１処理部１３１と、第１通信プロトコルと異なる第２通信プロトコルで１以上の第２照明装置２１と無線通信する第２処理部１３２と、第１処理部１３１に１以上の第１照明装置１１と無線通信させることと、第２処理部１３２に１以上の第２照明装置２１と無線通信させることとを切り替える制御部３１とを備える。【選択図】図４
2019102200.tif 000002
【特許請求の範囲】
【請求項１】
第１ローカルネットワークを構成する１以上の第１装置と、前記第１ローカルネットワークと異なる第２ローカルネットワークを構成する１以上の第２装置とを接続する照明装置であって、
第１通信プロトコルで前記１以上の第１装置と無線通信する第１処理部と、
前記第１通信プロトコルと異なる第２通信プロトコルで前記１以上の第２装置と無線通信する第２処理部と、
前記第１処理部に前記１以上の第１装置と無線通信させることと、前記第２処理部に前記１以上の第２装置と無線通信させることとを切り替える制御部とを備え、
前記制御部は、さらに、
前記第１処理部が前記１以上の第１装置から第１情報を受信した場合に、前記第２処理部に前記第２通信プロトコルで前記第１情報を、前記１以上の第２装置宛に送信させ、
前記第２処理部が前記１以上の第２装置から第２情報を受信した場合に、前記第１処理部に前記第１通信プロトコルで前記第２情報を、前記１以上の第１装置宛に送信させる
照明装置。
【請求項２】
前記制御部は、前記第１処理部を用いた無線通信と、前記第２処理部を用いた無線通信とを排他的に行う
請求項１に記載の照明装置。
【請求項３】
さらに、記憶部を備え、
前記制御部は、さらに、
前記第１通信プロトコルで前記第１処理部から受信した前記第１情報を前記記憶部に記憶し、前記第２通信プロトコルで前記第２処理部から前記第１情報を前記１以上の第２装置に送信する場合に、前記記憶部の前記第１情報を消去し、
前記第２通信プロトコルで前記第２処理部から受信した前記第２情報を前記記憶部に記憶し、前記第１通信プロトコルで前記第１処理部から前記第２情報を前記１以上の第１装置に送信する場合に、前記記憶部の前記第２情報を消去する
請求項１に記載の照明装置。
【請求項４】
前記第１処理部及び第２処理部は、ＩＰスタックを有していない通信プロトコルを使用する
請求項１〜３のいずれか１項に記載の照明装置。
【請求項５】
前記第１情報は、前記１以上の第１装置の点灯シーンを制御する第１制御コマンドであり、
前記第２情報は、前記１以上の第２装置の点灯シーンを制御する第２制御コマンドであり、
さらに、光源と、
前記第１制御コマンドを受信した場合には、前記第１制御コマンドに基づいた前記点灯シーンとなるように、前記光源が出射する光を制御し、前記第２制御コマンドを受信した場合には、前記第２制御コマンドに基づいた前記点灯シーンとなるように、前記光源が出射する光を制御する制御回路とを備える
請求項１〜４のいずれか１項に記載の照明装置。
【発明の詳細な説明】
【技術分野】
【０００１】
本発明は、照明装置に関する。
【背景技術】
【０００２】
１つの光源グループを含むローカル照明システムと、ローカル照明システムと異なる無線通信方式であり、他の光源グループを含むリモート照明システムとを有する照明システムが特許文献１に開示されている。この照明システムは、インターネットを含む広域のコンピューティングネットワークにより、ローカル照明システムとリモート照明システムとを通信可能に接続する。
【先行技術文献】
【特許文献】
【０００３】
【特許文献１】特表２０１７−５０２４７５号公報
【発明の概要】
【発明が解決しようとする課題】
【０００４】
このような照明システムでは、ローカル照明システムとリモート照明システムとの通信は、インターネットを介してのみ通信することが可能であり、ローカル照明システムとリモート照明システムとがローカル通信をすることはできていない。このため、ローカル照明システムとリモート照明システムとが互いに異なる通信プロトコルを用いている場合、ローカル照明システムとリモート照明システムとが通信するには、インターネットを介さなくてはならない。これでは、ローカル照明システムとリモート照明システムとの間の通信に時間が掛かってしまう。
【０００５】
そこで、本開示は、インターネットを介することなく、異なる２つのローカルネットワーク間の通信速度を高めることができる照明装置を提供することを目的とする。
【課題を解決するための手段】
【０００６】
上記目的を達成するため、本開示の一態様に係る照明装置は、第１ローカルネットワークを構成する１以上の第１装置と、前記第１ローカルネットワークと異なる第２ローカルネットワークを構成する１以上の第２装置とを接続する照明装置であって、第１通信プロトコルで前記１以上の第１装置と無線通信する第１処理部と、前記第１通信プロトコルと異なる第２通信プロトコルで前記１以上の第２装置と無線通信する第２処理部と、前記第１処理部に前記１以上の第１装置と無線通信させることと、前記第２処理部に前記１以上の第２装置と無線通信させることとを切り替える制御部とを備え、前記制御部は、さらに、前記第１処理部が前記１以上の第１装置から第１情報を受信した場合に、前記第２処理部に前記第２通信プロトコルで前記第１情報を、前記１以上の第２装置宛に送信させ、前記第２処理部が前記１以上の第２装置から第２情報を受信した場合に、前記第１処理部に前記第１通信プロトコルで前記第２情報を、前記１以上の第１装置宛に送信させる。
【発明の効果】
【０００７】
本開示によれば、インターネットを介することなく、異なる２つのローカルネットワーク間の通信速度を高めることができる。
【図面の簡単な説明】
【０００８】
【図１】図１は、実施の形態１に係る照明システムを示す概略図である。
【図２】図２は、実施の形態１に係る照明システムを示すブロック図である。
【図３】図３は、実施の形態１に係る照明システムの第３照明装置の動作を示す説明図である。
【図４】図４は、実施の形態１に係る照明システムの動作を示すシーケンス図である。
【図５】図５は、実施の形態１に係る照明システムの動作を示すシーケンス図である。
【図６】図６は、実施の形態２に係る照明システムを示すブロック図である。
【図７】図７は、実施の形態２に係る照明システムの通信装置の動作を示す説明図である。
【図８】図８は、実施の形態２に係る照明システムの動作を示すシーケンス図である。
【図９】図９は、実施の形態２に係る照明システムの動作を示すシーケンス図である。
【発明を実施するための形態】
【０００９】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
以下、本開示の実施の形態に係る照明装置について説明する。
【００１２】
（実施の形態１）
［構成］
図１は、実施の形態１に係る照明システム１を示す概略図である。図２は、実施の形態１に係る照明システム１を示すブロック図である。
【００１３】
図１に示すように、照明システム１は、無線通信機能を有する、複数の照明装置、第３照明装置３０等により構成されている。この照明システム１では、複数の照明装置のうち、互いに隣り合う照明装置が無線通信することで無線通信経路を構築したローカルネットワークを構成している。ローカルネットワークは、隣り合う照明装置に限られず、照明装置の無線通信可能な距離内における所定ホップ数の照明装置の間で構成されていてもよい。ここでいうローカルネットワークとは、照明装置同士で無線通信経路を構築しているネットワークのことをいう。
【００１４】
照明システム１は、第１ローカルネットワーク１０と、第２ローカルネットワーク２０と、第３照明装置３０とを有する。第１ローカルネットワーク１０内での通信プロトコルと、第２ローカルネットワーク２０内での通信プロトコルとが異なっている場合に、照明システム１では、光の色相、色温度等といった調光制御及び調色制御の１つ又は複数を組み合わせて照明装置が点灯する点灯シーンを示す制御コマンドを、第１ローカルネットワーク１０と第２ローカルネットワーク２０とが共有することを可能にする。
【００１５】
なお、本実施の形態では、第１ローカルネットワーク１０と第２ローカルネットワーク２０とが通信装置３０を介して無線通信で接続しているが、第１ローカルネットワーク１０の代わりに１のメッシュネットワークである第１メッシュネットワークを用いてもよく、第２ローカルネットワーク１０の代わりに他のメッシュネットワークである第２メッシュネットワークを用いてもよい。
【００１６】
［第１ローカルネットワーク］
第１ローカルネットワーク１０は、１以上の第１照明装置１１により構成され、第２ローカルネットワーク２０と異なるローカルネットワークである。１以上の第１照明装置１１のうちの一部は、第３照明装置３０と無線通信可能に接続されている。各々の第１照明装置１１は、各々の第１照明装置１１を操作することが可能な通信端末機と通信可能である。第１ローカルネットワーク１０では、第１通信プロトコルの無線通信方式にて、各々の第１照明装置１１間で無線通信している。本実施の形態では、第１通信プロトコルは、ＺｉｇＢｅｅ通信である。第１照明装置１１は、第１装置の一例である。なお、第１装置は、照明装置に限定しなくてもよく、エアコン、プリンタ、スマートフォン等の装置であってもよい。
【００１７】
各々の第１照明装置１１は、例えば、シーリングライト、ダウンライト等であり、天井、壁等の造営材に設置される。各々の第１照明装置１１は、第１発光モジュール１１１と、第１通信部１１４と、第１照明制御部１１２と、第１電源部１１３とを有する。
【００１８】
第１発光モジュール１１１は、第１照明制御部１１２により調光制御及び調色制御される。第１発光モジュール１１１は、基板と、基板に実装された複数の発光素子とを有する。
【００１９】
基板は、複数の発光素子を実装するためのプリント配線基板であり、略矩形状に形成されている。基板としては、例えば、樹脂をベースとする樹脂基板、金属をベースとするメタルベース基板、セラミックからなるセラミック基板等を用いることができる。
【００２０】
発光素子は、基板に実装されている。発光素子は、ＬＥＤ（Ｌｉｇｈｔ  Ｅｍｉｔｔｉｎｇ  Ｄｉｏｄｅ）素子で構成されている。本実施の形態では、発光素子は、青色光、緑色光及び赤色光を発光するＲＧＢタイプのＬＥＤ素子である。発光素子は、ＲＧＢ３色に限られず、ＲＧＢＷ４色であってもよいし、ＢＷ２色（青白２色）であってもよい。
【００２１】
第１通信部１１４は、アンテナ及び無線モジュールを有する。複数の第１通信部１１４の内の、ある第１通信部１１４は、第３照明装置３０と無線通信することが可能である。第１通信部１１４は、第２ローカルネットワーク２０で設定された点灯シーン等を示す第１制御コマンドを受信したり、第１ローカルネットワーク１０で設定された点灯シーン等を示す第１制御コマンドを送信したりする。第１制御コマンドは、第１情報の一例である。
【００２２】
また、第１通信部１１４は、自身を備える第１照明装置１１と異なる第１照明装置１１の第１通信部１１４と、無線通信を行う。これにより、各々の第１照明装置１１は、近くに存在する自身以外の各々の第１照明装置１１と通信可能である。無線通信方式としては、例えば、ＩＥＥＥ８０２．１５．１で規格されているＷｉＦｉ（登録商標）、Ｂｌｕｅｔｏｏｔｈ（登録商標）、ＺｉｇＢｅｅ（登録商標）等のような無線通信方式が用いられる。本実施の形態では、２．４ＧＨｚ帯の周波数帯を用いて無線通信されている。
【００２３】
本実施の形態では、第１ローカルネットワーク１０は、ＺｉｇＢｅｅのメッシュルーティングである。ＺｉｇＢｅｅでは、ネットワークの構築においてはメッシュルーティングの機能を用いて最適なルートを探して構築する。
【００２４】
第１照明制御部１１２は、第１発光モジュール１１１、第１通信部１１４、及び第１電源部１１３と電気的に接続されている。第１照明制御部１１２は、例えば第１発光モジュール１１１の点灯回路を制御することで、第１発光モジュール１１１から出射させる光を調光制御及び調色制御することができる。
【００２５】
第１照明制御部１１２は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。第１照明制御部１１２は、例えばメモリ部に記憶させた適宜のプログラムを実行させることで、所定の照明制御動作を行うことができる。メモリ部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏａｄ  Ｏｎｌｙ  Ｍｅｍｏｒｙ）などの不揮発性半導体メモリを用いて構成することができる。
【００２６】
第１電源部１１３は、商用電源から供給される交流電力を、整流、平滑及び降圧等して所定レベルの直流電力に変換し、当該直流電力を第１発光モジュール１１１に供給する構成要素である。
【００２７】
［第２ローカルネットワーク］
第２ローカルネットワーク２０は、１以上の第２照明装置２１により構成されたネットワークである。１以上の第２照明装置２１のうちの一部は、第３照明装置３０と無線通信可能に接続されている。各々の第２照明装置２１は、各々の第２照明装置２１を操作することが可能な通信端末機と通信可能である。第２ローカルネットワーク２０では、第２通信プロトコルの無線通信方式にて、各々の第２照明装置２１間で無線通信している。本実施の形態では、第２通信プロトコルは、Ｂｌｕｅｔｏｏｔｈ（登録商標）通信である。第２照明装置２１は、第２装置の一例である。なお、第２装置は、照明装置に限定しなくてもよく、エアコン、プリンタ、スマートフォン等の装置であってもよい。
【００２８】
各々の第２照明装置２１は、例えば、シーリングライト、ダウンライト等であり、天井、壁等の造営材に設置される。各々の第２照明装置２１は、第２発光モジュール１２１と、第２通信部１２４と、第２照明制御部１２２と、第２電源部１２３とを有する。本実施の形態の各々の第２照明装置２１は、ベースライトである。
【００２９】
第２発光モジュール１２１は、第２照明制御部１２２により調光制御及び調色制御される。第２発光モジュール１２１は、基板と、基板に実装された複数の発光素子とを有する。
【００３０】
基板は、複数の発光素子を実装するためのプリント配線基板であり、略矩形状に形成されている。基板としては、例えば、樹脂をベースとする樹脂基板、金属をベースとするメタルベース基板、セラミックからなるセラミック基板等を用いることができる。
【００３１】
発光素子は、基板に実装されている。発光素子は、ＬＥＤ（Ｌｉｇｈｔ  Ｅｍｉｔｔｉｎｇ  Ｄｉｏｄｅ）素子で構成されている。本実施の形態では、発光素子は、青色光、緑色光及び赤色光を発光するＲＧＢタイプのＬＥＤ素子である。発光素子は、ＲＧＢ３色に限られず、ＲＧＢＷ４色であってもよいし、ＢＷ２色（青白２色）であってもよい。
【００３２】
第２通信部１２４は、アンテナ及び無線モジュールを有する。複数の第２通信部１２４の内の、ある第２通信部１２４は、第３照明装置３０と無線通信することが可能である。第２通信部１２４は、第１ローカルネットワーク１０で設定された点灯シーン等を示す第１制御コマンドを受信したり、第２ローカルネットワーク２０で設定された点灯シーン等を示す第２制御コマンドを送信したりする。第２制御コマンドは、第２情報の一例である。
【００３３】
また、第２通信部１２４は、自身を備える第２照明装置２１と異なる第２照明装置２１の第２通信部１２４と、無線通信を行う。これにより、各々の第２照明装置２１は、近くに存在する自身以外の各々の第２照明装置２１と通信可能である。
【００３４】
無線通信方式としては、例えば、ＩＥＥＥ８０２．１１で規格されているＷｉＦｉ、ＩＥＥＥ８０２．１５で規格されているＢｌｕｅｔｏｏｔｈ（登録商標）、ＺｉｇＢｅｅ等のような無線通信方式が用いられる。本実施の形態では、２．４ＧＨｚ帯の周波数帯を用いて無線通信されている。
【００３５】
本実施の形態では、第２ローカルネットワーク２０は、マネージドフラッティングメッシュと呼ばれるＢｌｕｅｔｏｏｔｈ（登録商標）  ｍｅｓｈである。例えば、あるデバイスがブロードキャストでメッセージ（パケット）を送出すると、これを受信したデバイスが周囲のデバイスにブロードキャストで中継して通信可能な全デバイスにメッセージを行き渡らせる。しかし、このままでは、メッセージが溢れてしまうため、例えば、一度送信したメッセージは再度送信しない、又はメッセージの中継回数に制限を設ける等の制御を行う。
【００３６】
第２照明制御部１２２は、第２発光モジュール１２１、第２通信部１２４、及び第２電源部１２３と電気的に接続されている。第２照明制御部１２２は、例えば第２発光モジュール１２１の点灯回路を制御することで、第２発光モジュール１２１から出射させる光を調光制御及び調色制御することができる。
【００３７】
第２照明制御部１２２は、例えば、ＣＰＵを備えたマイクロコンピュータを用いて構成することができる。第２照明制御部１２２は、例えばメモリ部に記憶させた適宜のプログラムを実行させることで、所定の照明制御動作を行うことができる。
【００３８】
第２電源部１２３は、商用電源から供給される交流電力を、整流、平滑及び降圧等して所定レベルの直流電力に変換し、当該直流電力を第２発光モジュール１２１に供給する構成要素である。
【００３９】
［第３照明装置］
第３照明装置３０は、例えば、シーリングライト、ダウンライト等であり、天井、壁等の造営材に設置される。第３照明装置３０は、通信装置１３０と、第３発光モジュール１４１と、第３照明制御部１４２と、第３電源部１４３とを有する。
【００４０】
通信装置１３０は、第１ローカルネットワーク１０を構成する１以上の第１照明装置１１と、第１ローカルネットワーク１０と異なる第２ローカルネットワーク２０を構成する１以上の第２照明装置２１とを接続するゲートウェイ装置である。通信装置１３０は、第１通信プロトコルで無線通信する第１ローカルネットワーク１０と、第１通信プロトコルと異なる第２通信プロトコルで無線通信する第２ローカルネットワーク２０と相互に無線通信することが可能である。つまり、通信装置１３０は、マルチプロトコルによる無線通信を行うことが可能である。
【００４１】
通信装置１３０は、１つの半導体集積回路３２と、第３通信部３４と、ＲＦ（Ｒａｄｉｏ  Ｆｒｅｑｕｅｎｃｙ）部３３とを有する。
【００４２】
１つの半導体集積回路３２は、１つのＩＣチップである。半導体集積回路３２は、マイクロプロセッサ、ＲＯＭ、ＲＡＭ等を含んで構成される。半導体集積回路３２は、制御部３１と、第１処理部１３１と、第２処理部１３２とを有する。
【００４３】
制御部３１は、第２制御部３１が有する第１処理部１３１、及び第２処理部１３２等の処理を制御するホストコントローラである。制御部３１は、ＯＳＩ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）の上位の５層を有する。第１処理部１３１、及び第２処理部１３２は、ＯＳＩの下位層に含まれる物理層である。
【００４４】
第１処理部１３１は、制御部３１及びＲＦ部３３との間に接続している。第１処理部１３１は、第１通信プロトコルで、第１ローカルネットワーク１０を構成する１以上の第１照明装置１１と無線通信を行う。第１処理部１３１は、ＩＰスタックを有していない通信プロトコルを使用する。ＩＰスタックを有していない通信プロトコルは、例えば、ＺｉｇＢｅｅ、Ｂｌｕｅｔｏｏｔｈ（登録商標）等である。ＩＰスタックは、ＩＰを解析することができるＩＰ層である。本実施の形態では、第１処理部１３１は、ＺｉｇＢｅｅの第１通信プロトコルで無線通信を行うためのＺｉｇＢｅｅチップである。
【００４５】
第１処理部１３１は、第３照明装置３０が第１照明装置１１と、ＲＦ部３３、及び通信モジュールを介して、第１通信プロトコルで無線通信することで、第１照明装置１１から第１制御コマンドを受信したり、第１照明装置１１に第１制御コマンドを送信したりする。
【００４６】
第２処理部１３２は、制御部３１及びＲＦ部３３との間で、第１処理部１３１と並列に接続している。第２処理部１３２は、第２通信プロトコルで、第２ローカルネットワーク２０を構成する１以上の第２照明装置２１と無線通信を行う。つまり、第２処理部１３２は、第１処理部１３１と異なる通信プロトコルを用いている。第２処理部１３２は、ＩＰスタックを有していない通信プロトコルを使用する。本実施の形態では、第２処理部１３２は、Ｂｌｕｅｔｏｏｔｈ（登録商標）の第２通信プロトコルで無線通信を行うためのＢｌｕｅｔｏｏｔｈ（登録商標）チップである。
【００４７】
第２処理部１３２は、ＲＦ部３３、及び通信モジュールを介して、第３照明装置３０が１以上の第１照明装置１１と第２通信プロトコルで無線通信することで、１以上の第２照明装置２１から第２制御コマンドを受信したり、１以上の第２照明装置２１に第２制御コマンドを送信したりする。
【００４８】
このことから、制御部３１は、第１処理部１３１に１以上の第１照明装置１１と無線通信させることと、第２処理部１３２に１以上の第２照明装置２１と無線通信させることとを切り替える。制御部３１は、第１処理部１３１が１以上の第１照明装置１１から第１制御コマンドを受信した場合に、第２処理部１３２に第２通信プロトコルで第１制御コマンドを、１以上の第２照明装置２１宛に送信させる。また、制御部３１は、第２処理部１３２が１以上の第２照明装置２１から第２制御コマンドを受信した場合に、第１処理部１３１に第１通信プロトコルで第２制御コマンドを、１以上の第１照明装置１１宛に送信させる。
【００４９】
本実施の形態では、第１照明装置１１と第３照明装置３０との間でＺｉｇＢｅｅ通信が行われた場合、制御部３１は、第１処理部１３１が１以上の第１照明装置１１から取得した第１制御コマンドを取得する。制御部３１は、第１処理部１３１がＺｉｇＢｅｅ通信で取得した第１制御コマンドを、第２処理部１３２に出力する。第２処理部１３２は、Ｂｌｕｅｔｏｏｔｈ（登録商標）通信で１以上の第２照明装置２１宛に、取得した第１制御コマンドを送信する。
【００５０】
また、制御部３１は、第１処理部１３１を用いた無線通信と、第２処理部１３２を用いた無線通信とを排他的に行う。具体的には、第１処理部１３１と第２処理部１３２とは、一定の受信間隔と受信時間によって制御コマンドを間欠的に受信している。本実施の形態では、第１処理部１３１が第１制御コマンドを受信可能となる受信期間を「スキャンウィンドウ」と呼び、スキャンウィンドウの受信間隔を「スキャンインターバル」と呼ぶ。第２処理部１３２においても同様である。本実施の形態では、第１処理部１３１及び第２処理部１３２のスキャンウィンドウは排他的である。当然のことながら、第３照明装置３０は、スキャンインターバルごとに制御コマンドを間欠的に送信しているため、スキャンウィンドウが、制御コマンドの送信時間と重ならなければ第３照明装置３０が制御コマンドを受信できない。このことから、本実施の形態では、１以上の第１照明装置１１と第３照明装置３０との間でのＺｉｇＢｅｅ通信と、１以上の第２照明装置２１と第３照明装置３０との間でのＢｌｕｅｔｏｏｔｈ（登録商標）通信とが、排他的かつ交互に行われる。なお、単に制御コマンドという場合は、第１制御コマンド及び第２制御コマンドを包含した総称として用いる。
【００５１】
第３通信部３４は、ＲＦ部３３に接続されている。第３通信部３４は、１以上の第１照明装置１１及び１以上の第２照明装置２１から制御コマンドを受信したり、１以上の第１照明装置１１及び１以上の第２照明装置２１に制御コマンドを送信したりする無線通信用のアンテナである。
【００５２】
ＲＦ部３３は、第１処理部１３１及び第２処理部１３２から、制御コマンドを取得すれば、フィルタリング、増幅等を行って第３通信部３４に出力する。また、ＲＦ部３３は、第３通信部３４で受信された１以上の第１照明装置１１からの第１制御コマンドをフィルタリングして、第１処理部１３１に出力したり、１以上の第２照明装置２１からの第２制御コマンドをフィルタリングして、第２処理部１３２に出力したりする。
【００５３】
ＲＦ部３３は、送信回路と、受信回路とを有する。送信回路は、例えば送信する制御コマンドについて、制御コマンドが示す送信帯域の信号を抽出する送信フィルタと、送信フィルタを通過後の信号を高周波信号にアップコンバートする送信ミキサと、アップコンバート後の高周波信号を増幅するプリアンプ等を有する。受信回路は、例えば第３通信部３４が受信した１以上の第１照明装置１１及び１以上の第２照明装置２１からの高周波信号を低周波数信号に変換する受信ミキサ等を有する。
【００５４】
第３発光モジュール１４１は、第３照明制御部１４２により調光制御及び調色制御される。第３発光モジュール１４１は、基板と、基板に実装された複数の発光素子とを有する。
【００５５】
基板は、複数の発光素子を実装するためのプリント配線基板であり、略矩形状に形成されている。基板としては、例えば、樹脂をベースとする樹脂基板、金属をベースとするメタルベース基板、セラミックからなるセラミック基板等を用いることができる。
【００５６】
発光素子は、基板に実装されている。発光素子は、ＬＥＤ（Ｌｉｇｈｔ  Ｅｍｉｔｔｉｎｇ  Ｄｉｏｄｅ）素子で構成されている。本実施の形態では、発光素子は、青色光、緑色光及び赤色光を発光するＲＧＢタイプのＬＥＤ素子である。発光素子は、ＲＧＢ３色に限られず、ＲＧＢＷ４色であってもよいし、ＢＷ２色（青白２色）であってもよい。
【００５７】
第３照明制御部１４２は、通信装置１４０が取得した制御コマンドをメモリ等の記憶部に記憶させ、自身も制御コマンドが示す点灯シーンで点灯する。つまり、第３照明制御部１４２は、第１制御コマンドを受信した場合には、第１制御コマンドに基づいた点灯シーンとなるように、第３発光モジュール１４１が出射する光を制御する。また、第３照明制御部１４２は、第２制御コマンドを受信した場合には、第２制御コマンドに基づいた点灯シーンとなるように、第３発光モジュール１４１が出射する光を制御する。
【００５８】
第３照明制御部１４２は、通信装置１３０、第３発光モジュール１４１、及び第３電源部１４３と電気的に接続されている。第３照明制御部１４２は、例えば第３発光モジュール１４１の点灯回路を制御することで、第３発光モジュール１４１から出射させる光を調光制御及び調色制御することができる。
【００５９】
第３照明制御部１４２は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。第２照明制御部１２２は、例えばメモリ部に記憶させた適宜のプログラムを実行させることで、所定の照明制御動作を行うことができる。
【００６０】
第３電源部１４３は、商用電源から供給される交流電力を、整流、平滑及び降圧等して所定レベルの直流電力に変換し、当該直流電力を第３発光モジュール１４１に供給する構成要素である。
【００６１】
［動作］
次に、照明システム１の動作について説明する。
【００６２】
図３は、実施の形態１に係る照明システム１の通信装置１３０の動作を示す説明図である。図４は、実施の形態１に係る照明システム１の第３照明装置３０の動作を示すシーケンス図である。
【００６３】
図４に示すように、ここでは、ユーザが操作端末を介して操作することで、第１ローカルネットワーク１０を構成する１以上の第１照明装置１１から第２ローカルネットワーク２０を構成する１以上の第２照明装置２１に第１制御コマンドが送信される場合を例に挙げて説明する。
【００６４】
まず、第３照明装置３０の通信装置１３０は、１以上の第１照明装置１１に対して、ユーザが設定した第１ローカルネットワーク１０を構成する１以上の第１照明装置１１の点灯シーンを示す第１制御コマンドを取得するために、１以上の第１照明装置１１に対してリクエストの送信を行う（Ｓ１１）。具体的には、制御部３１は、第３通信部３４を介して、１以上の第１照明装置１１にリクエストを送信する。
【００６５】
次に、図３及び図４に示すように、１以上の第１照明装置１１は、第１通信部１１４を介して、第３照明装置３０から送信されたリクエストを受信すると、第３照明装置３０に第１制御コマンドを送信する（Ｓ１）。
【００６６】
次に、第３照明装置３０は、第１制御コマンドを受信する。第３照明装置３０に設けられている通信装置１３０の制御部３１は、第１通信プロトコルでの無線通信を、第２通信プロトコルでの無線通信に切り替える（Ｓ１２）。つまり、制御部３１は、第１処理部１３１に１以上の第１照明装置１１と第３照明装置３０とがＺｉｇＢｅｅ通信することで取得した第１制御コマンドを、第２処理部１３２にＢｌｕｅｔｏｏｔｈ（登録商標）通信で第２ローカルネットワーク２０を構成する１以上の第２照明装置２１に送信させる。なお、ここで、第３照明装置３０は、受信した第１制御コマンドをメモリ等の記憶部に記憶して、自身も第１制御コマンドが示す点灯シーンで点灯する。
【００６７】
次に、制御部３１は、第３通信部３４を介して１以上の第１照明装置１１から受信した第１制御コマンドを、第２処理部１３２に第２通信プロトコルで、第２ローカルネットワーク２０を構成する１以上の第２照明装置２１宛に送信させる（Ｓ１３）。つまり、第２処理部１３２は、第３通信部３４を介して、第１制御コマンドを第２通信プロトコルで１以上の第２照明装置２１宛に送信する。
【００６８】
次に、１以上の第２照明装置２１は、第２通信部１２４を介して、第１制御コマンドを第３照明装置３０から受信する（Ｓ２１）。そして、この処理は終了する。
【００６９】
ここでは、第２ローカルネットワーク２０を構成する１以上の第２照明装置２１から第１ローカルネットワーク１０を構成する１以上の第１照明装置１１に第２制御コマンドを送信する場合を例に挙げて説明する。
【００７０】
図５は、実施の形態１に係る照明システム１の動作を示すシーケンス図である。
【００７１】
図５に示すように、まず、第３照明装置３０は、１以上の第２照明装置２１に対して、ユーザが設定した第２ローカルネットワーク２０を構成する１以上の第２照明装置２１の点灯シーンを示す第２制御コマンドを取得するために、１以上の第２照明装置２１に対してリクエストの送信を行う（Ｓ１１）。
【００７２】
次に、１以上の第２照明装置２１は、第２通信部１２４を介して、第３照明装置３０から送信されたリクエストを受信すると、第３照明装置３０に第２制御コマンドを送信する（Ｓ１２１）。
【００７３】
次に、第３照明装置３０は、第２制御コマンドを受信する。第３照明装置３０に設けられている通信装置１３０の制御部３１は、第２通信プロトコルでの無線通信を、第１通信プロトコルでの無線通信に切り替える（Ｓ１２）。つまり、制御部３１は、第２処理部１３２に１以上の第２照明装置２１と第３照明装置３０とがＢｌｕｅｔｏｏｔｈ（登録商標）通信することで取得した第２制御コマンドを、第１処理部１３１にＺｉｇＢｅｅ通信で第１ローカルネットワーク１０を構成する１以上の第１照明装置１１に送信させる。なお、ここで、第３照明装置３０は、受信した第２制御コマンドをメモリ等の記憶部に記憶して、自身も第２制御コマンドが示す点灯シーンで点灯する。
【００７４】
次に、制御部３１は、第３通信部３４を介して１以上の第２照明装置２１から受信した第２制御コマンドを、第１処理部１３１に第１通信プロトコルで、第１ローカルネットワーク１０を構成する１以上の第１照明装置１１に送信させる（Ｓ１３）。つまり、第１処理部１３１は、第３通信部３４を介して、第２制御コマンドを第１通信プロトコルで１以上の第１照明装置１１宛に送信する。
【００７５】
次に、１以上の第１照明装置１１は、第１通信部１１４を介して、第２制御コマンドを第３照明装置３０から受信する（Ｓ１０１）。そして、この処理は終了する。
【００７６】
こうして、図４及び図５に示すように、この照明システム１では、互いに異なる第１ローカルネットワーク１０と第２ローカルネットワーク２０とを無線通信することができる。
【００７７】
［作用効果］
次に、本実施の形態おける第３照明装置３０の作用効果について説明する。
【００７８】
上述したように、本実施の形態に係る第３照明装置３０は、第１ローカルネットワーク１０を構成する１以上の第１照明装置１１と、第１ローカルネットワーク１０と異なる第２ローカルネットワーク２０を構成する１以上の第２照明装置２１とを接続する第３照明装置３０である。また、第３照明装置３０は、第１通信プロトコルで１以上の第１照明装置１１と無線通信する第１処理部１３１と、第１通信プロトコルと異なる第２通信プロトコルで１以上の第２照明装置２１と無線通信する第２処理部１３２と、第１処理部１３１に１以上の第１照明装置１１と無線通信させることと、第２処理部１３２に１以上の第２照明装置２１と無線通信させることとを切り替える制御部３１とを備える。また、制御部３１は、さらに、第１処理部１３１が１以上の第１照明装置１１から第１制御コマンドを受信した場合に、第２処理部１３２に第２通信プロトコルで第１制御コマンドを、１以上の第２照明装置２１宛に送信させる。そして、制御部３１は、さらに、第２処理部１３２が１以上の第２照明装置２１から第２制御コマンドを受信した場合に、第１処理部１３１に第１通信プロトコルで第２制御コマンドを、１以上の第１照明装置１１宛に送信させる。
【００７９】
このように、制御部３１は、第１処理部１３１に１以上の第１照明装置１１と無線通信させることと、第２処理部１３２に１以上の第２照明装置２１と無線通信させることとを切り替える。制御部３１は、第１処理部１３１が第１通信プロトコルで１以上の第１照明装置１１から第１制御コマンドを受信した場合に、第２処理部１３２に第２通信プロトコルで第１制御コマンドを１以上の第２照明装置２１宛に送信させることができる。また制御部３１は、第２処理部１３２が第２通信プロトコルで１以上の第２照明装置２１から第２制御コマンドを受信した場合に、第１処理部１３１に第１通信プロトコルで第２制御コマンドを１以上の第１照明装置１１宛に送信させることができる。これにより、異なる通信プロトコルが用いられている第１ローカルネットワーク１０と第２ローカルネットワーク２０とを接続することができる。
【００８０】
この第３照明装置３０では、インターネット及びクラウドサーバを介することなく、第３照明装置３０が第１ローカルネットワーク１０と第２ローカルネットワーク２０とを通信可能に接続している。このため、インターネット及びクラウドサーバを介して、第１ローカルネットワーク１０と第２ローカルネットワーク２０との間で制御コマンドを送受信する場合に比べて、本実施の形態のような構成では、第１ローカルネットワーク１０と第２ローカルネットワーク２０との通信速度が速くなる。
【００８１】
したがって、この第３照明装置３０によれば、インターネットを介することなく、異なる２つのローカルネットワーク間の通信速度を高めることができる。
【００８２】
また、本実施の形態に係る第３照明装置３０において、制御部３１は、第１処理部１３１を用いた無線通信と、第２処理部１３２を用いた無線通信とを排他的に行う。
【００８３】
このように、制御部３１は、第１処理部１３１と１以上の第１照明装置１１とが無線通信している際に第２処理部１３２と１以上の第２照明装置２１との無線通信をさせず、第２処理部１３２と１以上の第２照明装置２１とが無線通信している際に第１処理部１３１と１以上の第１照明装置１１との無線通信をさせない。つまり、制御部３１は、第１処理部１３１と１以上の第１照明装置１１との無線通信と、第２処理部１３２と１以上の第２照明装置２１との無線通信とを同時にさせない。これにより、これらを同時に無線通信させるために２つ以上の半導体集積回路３２を搭載する必要もないため、この第３照明装置３０では、大型化し難く、製造コストが高騰化し難い。
【００８４】
また、本実施の形態に係る第３照明装置３０において、第１処理部１３１及び第２処理部１３２は、ＩＰスタックを有していない通信プロトコルを使用する。
【００８５】
ＩＰスタックを有していない通信プロトコルは、例えば、Ｂｌｕｅｔｏｏｔｈ（登録商標）及びＺｉｇＢｅｅ等である。第１通信プロトコルと第２通信プロトコルとが互いに異なる通信プロトコルを使用しても、第１ローカルネットワーク１０と第２ローカルネットワーク２０との無線通信を接続することができる。
【００８６】
また、本実施の形態に係る第３照明装置３０において、第１情報は、１以上の第１照明装置１１の点灯シーンを制御する第１制御コマンドであり、第２情報は、１以上の第２照明装置２１の点灯シーンを制御する第２制御コマンドである。第３照明装置３０は、さらに、第３発光モジュール１４１と、第１制御コマンドを受信した場合には、第１制御コマンドに基づいた点灯シーンとなるように、第３発光モジュール１４１が出射する光を制御し、第２制御コマンドを受信した場合には、第２制御コマンドに基づいた点灯シーンとなるように、第３発光モジュール１４１が出射する光を制御する第３照明制御部１４２とを備える。
【００８７】
このように、第３照明制御部１４２が制御コマンドに基づいた点灯シーンとなるように、第３発光モジュール１４１が出射する光を制御する。この第３照明装置３０は、通信プロトコルが互いに異なる他の照明装置からも制御コマンドを取得することができる。このため、第３照明装置３０では、第１ローカルネットワーク１０及び第２ローカルネットワーク２０から取得した制御コマンドに基づいた点灯シーンで、照明を行うことができる。
【００８８】
（実施の形態２）
［構成］
本実施の形態に係る照明システム１の構成について説明する。
【００８９】
図６は、実施の形態２に係る照明システム１を示すブロック図である。
【００９０】
図６に示すように、実施の形態１では、Ｂｌｕｅｔｏｏｔｈ（登録商標）及びＺｉｇＢｅｅのスキャンウィンドウが排他的であるが、本実施の形態では、Ｂｌｕｅｔｏｏｔｈ（登録商標）及びＺｉｇＢｅｅのスキャンウィンドウが重なっている点で、実施の形態１と相違する。本実施の形態の通信装置２３０の構成は、特に明記しない場合は、実施の形態１と同様であり、同一の構成については同一の符号を付して構成に関する詳細な説明を省略する。
【００９１】
第３照明装置３０の通信装置２３０は、制御部３１、第２制御部３１、第３通信部３４、ＲＦ部３３の他に、バッファ２３５を有する。
【００９２】
バッファ２３５は、第１処理部１３１及び第２処理部１３２とＲＦ部３３との間に接続されている。バッファ２３５は、送信元の１以上の第１照明装置１１及び１以上の第２照明装置２１から受信した、制御コマンドを、転送先の１以上の第２照明装置２１及び１以上の第１照明装置１１に転送するまで、一時的に記憶する。バッファ２３５は、制御コマンドを確実に受信するように、情報の欠落を抑制している。バッファ２３５は、記憶部の一例である。
【００９３】
Ｂｌｕｅｔｏｏｔｈ（登録商標）及びＺｉｇＢｅｅのスキャンウィンドウが重なっている場合は、例えば、第１処理部１３１に１以上の第１照明装置１１と無線通信させることと、第２処理部１３２に１以上の第２照明装置２１と無線通信させることとを切り替える場合に、切り替えに係るタイムインターバルが生じる。このタイムインターバルの間に、受信した制御コマンドをバッファ２３５に保存することで、Ｂｌｕｅｔｏｏｔｈ（登録商標）通信と及びＺｉｇＢｅｅ通信とが時間的に重なる部分が生じる。
【００９４】
制御部３１は、第１通信プロトコルで第１処理部１３１から受信した第１制御コマンドをバッファ２３５に記憶し、第２通信プロトコルで第２処理部１３２から第１制御コマンドを１以上の第２照明装置２１に送信する場合に、バッファ２３５の第１制御コマンドを消去する。また、制御部３１は、第２通信プロトコルで第２処理部１３２から受信した第２制御コマンドをバッファ２３５に記憶し、第１通信プロトコルで第１処理部１３１から第２制御コマンドを１以上の第１照明装置１１に送信する場合に、バッファ２３５の第２制御コマンドを消去する。
【００９５】
なお、バッファ２３５にはＱｕｅｕｅ機能が備わっているため、制御部３１は、第２通信プロトコルで第２処理部１３２から第１制御コマンドを１以上の第２照明装置２１に送信する場合、及び、第２通信プロトコルで第２処理部１３２から第１制御コマンドを１以上の第２照明装置２１に送信する場合に、送信後に戻ってきたｍｅｓｈ信号を再度送信しないようにバックオフ制御を行う。このため、制御部３１は、送信完了してから所定期間経過後に、送信した制御コマンドを消去する。つまり、制御部３１は、送信完了してから即座に制御コマンドを消去する訳ではない。所定期間とは、例えば、Ｑｕｅｕｅが１６個存在する場合では、１６個の異なるメッセージが送信されるまでの期間である。
【００９６】
［動作］
次に、照明システム１の動作について説明する。
【００９７】
図７は、実施の形態２に係る照明システム１の通信装置２３０の動作を示す説明図である。図８は、実施の形態２に係る照明システム１の動作を示すシーケンス図である。
【００９８】
なお、実施の形態１と同様の処理についてはその説明を適宜省略する。
【００９９】
まず、図８に示すように、第３照明装置３０の通信装置２３０は、１以上の第１照明装置１１に対して、ユーザが設定した第１ローカルネットワーク１０を構成する１以上の第１照明装置１１の点灯シーンを示す第１制御コマンドを取得するために、１以上の第１照明装置１１に対してリクエストの送信を行う（Ｓ１１）。
【０１００】
次に、図７及び図８に示すように、１以上の第１照明装置１１は、第１通信部１１４を介して、第３照明装置３０から送信されたリクエストを受信すると、第３照明装置３０に第１制御コマンドを送信する（Ｓ１）。もしくはスニッフィングを実施し、第一ローカルネットワークから送信されている信号を第３照明装置３０が制御コマンドを送信したものを、監視する。前者はＰｉｎｇのように任意のタイミングで定期的に実施してもよいし、第３照明装置３０のプロトコル切り替わり時に実施してもよい。
【０１０１】
次に、第３照明装置３０では、第３通信部３４が第１制御コマンドを受信し、第１制御コマンドがＲＦ部３３を介してバッファ２３５に記憶される（Ｓ２１１）。
【０１０２】
次に、第３照明装置３０に設けられている通信装置２３０の制御部３１は、第１通信プロトコルでの無線通信を、第２通信プロトコルでの無線通信に切り替える（Ｓ１２）。
【０１０３】
次に、制御部３１は、第３通信部３４を介して１以上の第１照明装置１１から受信した第１制御コマンドを、第２処理部１３２に第２通信プロトコルで、第２ローカルネットワーク２０を構成する１以上の第２照明装置２１に送信させる（Ｓ１３）。制御部３１は、第２通信プロトコルで第２処理部１３２から第１制御コマンドを１以上の第２照明装置２１に送信し、送信してからバッファ２３５の第１制御コマンドを所定期間経過後に消去する。
【０１０４】
この場合の制御コマンド（Ｓ１）のディスティネーションアドレスは、アドレッシング可能な場合に第２ローカルネットワーク２０の受信対象のアドレスに指定してもよいし、アドレッシングが出来ない場合（つまり、Ａｄｄｒｅｓｓ形態が全く異なる場合）に、第３照明装置３０が保有している第２ローカルネットワーク２０のアドレスを指定し、Ｔｒａｎｓｐｏｒｔ  Ｍｅｓｓａｇｅに第２ローカルネットワーク２０のアドレスを格納し、第３照明装置３０が取り出して、切り替え時にディスティネーションアドレスを置き換えてもよい。
【０１０５】
次に、１以上の第２照明装置２１は、第２通信部１２４を介して、第１制御コマンドを第３照明装置３０から受信する（Ｓ２１）。そして、この処理は終了する。
【０１０６】
ここでは、第２ローカルネットワーク２０を構成する１以上の第２照明装置２１から第１ローカルネットワーク１０を構成する１以上の第１照明装置１１に第１制御コマンドを送信する場合を例に挙げて説明する。
【０１０７】
図９は、実施の形態２に係る照明システム１の動作を示すシーケンス図である。
【０１０８】
図９に示すように、まず、第３照明装置３０は、１以上の第２照明装置２１に対して、ユーザが設定した第２ローカルネットワーク２０を構成する１以上の第２照明装置２１の点灯シーンを示す第２制御コマンドを取得するために、１以上の第２照明装置２１に対してリクエストの送信を行う（Ｓ１１）。
【０１０９】
次に、１以上の第２照明装置２１は、第２通信部１２４を介して、第３照明装置３０から送信されたリクエストを受信すると、第３照明装置３０に第２制御コマンドを送信する（Ｓ１２１）。
【０１１０】
次に、第３照明装置３０は、第２制御コマンドを受信する。第３照明装置３０では、第２制御コマンドがＲＦ部３３を介してバッファ２３５に記憶される（Ｓ２１１）。
【０１１１】
次に、通信装置２３０の制御部３１は、第２通信プロトコルでの無線通信を、第１通信プロトコルでの無線通信に切り替える（Ｓ１２）。
【０１１２】
次に、制御部３１は、第３通信部３４を介して１以上の第２照明装置２１から受信した第２制御コマンドを、第１処理部１３１に第１通信プロトコルで、第１ローカルネットワーク１０を構成する１以上の第１照明装置１１に送信させる（Ｓ１３）。制御部３１は、第１通信プロトコルで第１処理部１３１から第２制御コマンドを１以上の第１照明装置１１に送信し、送信してからバッファ２３５の第２制御コマンドを所定期間経過後に消去する。
【０１１３】
次に、１以上の第１照明装置１１は、第１通信部１１４を介して、第２制御コマンドを第３照明装置３０から受信する（Ｓ１０１）。そして、この処理は終了する。
【０１１４】
こうして、図８及び図９に示すように、この照明システム１では、互いに異なる第１ローカルネットワーク１０と第２ローカルネットワーク２０とを無線通信することができる。
【０１１５】
［作用効果］
次に、本実施の形態おける第３照明装置３０の作用効果について説明する。
【０１１６】
上述したように、本実施の形態に係る第３照明装置３０は、さらに、バッファ２３５を備える。また、制御部３１は、さらに、第１通信プロトコルで第１処理部１３１から受信した第１制御コマンドをバッファ２３５に記憶し、第２通信プロトコルで第２処理部１３２から第１制御コマンドを１以上の第２照明装置２１に送信する場合に、バッファ２３５の第１制御コマンドを消去する。そして、制御部３１は、第２通信プロトコルで第２処理部１３２から受信した第２制御コマンドをバッファ２３５に記憶し、第１通信プロトコルで第１処理部１３１から第２制御コマンドを１以上の第１照明装置１１に送信する場合に、バッファ２３５の第２制御コマンドを消去する。
【０１１７】
これによれば、制御部３１は、第１処理部１３１が１以上の第１照明装置１１から第１制御コマンドを受信している間は、この第１制御コマンドをバッファ２３５に記憶させておく。一方で、制御部３１は、第２処理部１３２が１以上の第２照明装置２１から第２制御コマンドを受信している間は、この第２制御コマンドをバッファ２３５に記憶させておく。これらのことから、この第３照明装置３０では、１以上の第１照明装置１１及び１以上の第２照明装置２１から受信した制御コマンドの欠乏を防ぐことができる。また、第１制御コマンドを１以上の第１照明装置１１に送信する場合、及び第２制御コマンドを１以上の第２照明装置２１に送信する場合に、各々の制御コマンドを消去するため、制御コマンドでバッファ２３５が溢れることもない。これらのことから、第１ローカルネットワーク１０と第２ローカルネットワーク２０との間で安定した情報通信を行うことができる。
【０１１８】
本実施の形態における他の作用効果についても、実施の形態１と同様の作用効果を奏する。
【０１１９】
（その他変形例等）
以上、本開示について、実施の形態に基づいて説明したが、本開示は、上記照明装置に限定されるものではない。
【０１２０】
例えば、上記各実施の形態に係る照明装置において、第３照明制御部は、半導体集積回路に接続されていることを図２及び図６で図示しているが、これに限定されず、ＲＦ部と接続されていてもよい。この場合、ＲＦ部から制御コマンドを取得することができる。
【０１２１】
また、上記各実施の形態に係る照明装置に含まれる各処理部は、典型的に集積回路であるＬＳＩとして実現される。これらは個別に１チップ化されてもよいし、一部又は全てを含むように１チップ化されてもよい。
【０１２２】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１２３】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１２４】
また、上記で用いた数字は、全て本開示を具体的に説明するために例示するものであり、本開示の実施の形態は例示された数字に制限されない。
【０１２５】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１２６】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１２７】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【０１２８】
１０  第１ローカルネットワーク
１１  第１照明装置（第１装置）
２０  第２ローカルネットワーク
２１  第２照明装置（第２装置）
３０  第３照明装置（照明装置）
３１  制御部
１３１  第１処理部
１３２  第２処理部
【図１】
2019102200.tif 000003
【図２】
2019102200.tif 000004
【図３】
2019102200.tif 000005
【図４】
2019102200.tif 000006
【図５】
2019102200.tif 000007
【図６】
2019102200.tif 000008
【図７】
2019102200.tif 000009
【図８】
2019102200.tif 000010
【図９】
2019102200.tif 000011